(57)【要約】【課題】弾性圧搾部への過剰な加圧を防止することが可能なスポイト容器を提供する。【解決手段】容器２の口頸部６に、スポイト管２０を含む蓋基部１８及び可動蓋部５０を備える蓋１６を装着しており、可動蓋部は、口頸部の外面に下部を上下動可能に嵌合させた保持筒部５４の上部から内方へ、スポイト管を挿通するリング状壁部５８を突出した保持部材５２と、リング状壁部及びスポイト管を覆う弾性圧搾部７４と、弾性圧搾部押下げ用の押釦７８とを具備し、スポイト管の周囲に付設した蓋板部２２を口頸部の上面に圧接可能に設けるとともに、この圧接状態でスポイト管の上端部３０がリング状壁部５８のリング孔６０より弾性圧搾部の頂部７４ｂ裏面へ延びて、押釦７８を介する弾性圧搾部７４の押下げを規制し、保持部材５２を上昇させることで弾性圧搾部の頂部７４ｂがスポイト管の上端部から離れて、押釦の押下げが可能となるように構成した。【選択図】図１
2015127225.tif 000002
【特許請求の範囲】
【請求項１】
口頸部(６)を有する容器(２)と、
少なくとも蓋基部(１８)及び可動蓋部(５０)を備える蓋(１６)とからなり、
上記蓋基部(１８)は、管壁の上下方向中間部に付設された鍔状の蓋板部(２２)を上記口頸部(６)側に係止させるとともに管壁の下半部(２１Ａ)を上記容器(２)内に挿入したスポイト管(２０)を具備し、
上記可動蓋部(５０)は、
上記口頸部(６)の外面に筒壁の下部を上下動可能に嵌合させるとともにスポイト管(２０)の上半部(２１Ｂ)を囲むように筒壁の上部を起立した保持筒部(５４)を有し、この保持筒部(５４)の上部から内方へ、スポイト管(２０)の挿通孔であるリング孔(６０)を有するリング状壁部(５８)を突出するとともに、保持筒部(５４)から上方へ案内筒(７２)を延設した保持部材(５２)と、
それらリング状壁部(５８)及びスポイト管(２０)を覆うように保持部材(５２)に嵌着した弾性圧搾部(７４)と、
上記案内筒(７２)内に嵌合された弾性圧搾部(７４)押下げ用の押釦(７８)とを、具備し、
可動蓋部(５０)の引き上げによりスポイト管(２０)を口頸部(６)内から引き上げることを可能とする係合手段(Ｅ)を設け、
口頸部(６)に嵌合させた保持部材(５２)に対してスポイト管(２０)を下方へ押圧する押圧手段(Ｆ)を用いて、スポイト管(２０)の蓋板部(２２)を口頸部(６)の上面に圧接可能に設けるとともに、この圧接状態でスポイト管(２０)の上端部(３０)がリング孔(６０)より弾性圧搾部(７４)の頂部(７４ｂ)裏面へ延びて、押釦(７８)を介する弾性圧搾部(７４)の押下げを規制するように設け、かつ口頸部(６)に対して保持部材(５２)を上昇させることで弾性圧搾部(７４)の頂部(７４ｂ)がスポイト管(２０)の上端部(３０)から離れて、押釦(７８)を介する弾性圧搾部(７４)の押下げが可能となるように構成したことを特徴とする、スポイト容器。
【請求項２】
上記口頸部(６)への蓋板部(２２)の圧接状態でスポイト管(２０)の上端部(３０)が弾性圧搾部(７４)の頂部(７４ｂ)裏面に液密に当接しており、当該頂部以外の弾性圧搾部分への容器(２)内の液体の通路を遮断させるように構成されたことを特徴とする、請求項１記載のスポイト容器。
【請求項３】
上記弾性圧搾部(７４)の頂部(７４ｂ)の外周からシール筒部(７６)を垂下しており、このシール筒部(７６)にスポイト管(２０)の上端部(３０)を液密に嵌着するようにしたことを特徴とする、請求項２記載のスポイト容器。
【請求項４】
上記スポイト管(２０)の上端部(３０)を、スポイト管の残りの部分であるスポイト管本体(３４)と別体の栓体として形成され、この栓体は、中央部に栓孔(３１)を有し弾性圧搾部(７４)の頂部(７４ｂ)裏面に液密に面接可能な栓板部(３０ａ)と、栓孔(３１)の回りの栓板部(３０ａ)裏面から垂下され、スポイト管本体(３４)の管孔内に嵌合された栓筒部(３０ｂ)とを有することを特徴とする、請求項２記載のスポイト容器。
【請求項５】
上記係合手段(Ｅ)は、スポイト管(２０)の上半部(２１Ｂ)の外面に凹設した係合凹部(２８)と、上記リング孔(６０)の孔縁から垂下させた小径シリンダ部(６２)から内方突出され、上記係合凹部(２８)内に昇降可能に嵌合された係合爪(６４)とで構成されており、
この係合爪(６４)は、小径シリンダ部(６２)内へ、スポイト管(２０)の上端部を下側から挿入することで、係合凹部(２８)内へ嵌合することが可能に形成したことを特徴とする、請求項１から請求項４のいずれかに記載のスポイト容器。
【請求項６】
上記リング状壁部(５８)の裏面から小径シリンダ部(６２)より大径の大径シリンダ部(６８)を垂下しており、
上記蓋(１６)は、上記小径シリンダ部(６２)及び大径シリンダ部(６８)に対して昇降可能に接する環状ピストン(８６)の下面から脚筒部(８８)を垂下してなるピストン部材(８４)を備え、
環状ピストン(８６)とリング状壁部(５８)との間に押圧手段(Ｆ)であるコイルスプリングを装着して、上記脚筒部(８８)を介して上記蓋基部(１８)を下方へ押圧するように構成したことを特徴とする、請求項５に記載のスポイト容器。
【発明の詳細な説明】
【技術分野】
【０００１】
本発明は、スポイト容器に関する。
【背景技術】
【０００２】
この種のスポイト容器として、口頸部を有する容器体と、当該口頸部に装着された蓋とからなり、蓋は、口頸部を介してスポイト管の下半部を容器体内に挿入するととともに、スポイト管の上端部にドーム状の弾性圧搾部を取り付け、かつ弾性圧搾部を押下げるための押釦を設けてなる（特許文献１）。
【先行技術文献】
【特許文献】
【０００３】
【特許文献１】実公平６−４２７３５
【発明の概要】
【発明が解決しようとする課題】
【０００４】
特許文献１の構成では、押釦に不意に外力が加わると、弾性圧搾部に過剰な加圧が発生するおそれがある。またスポイト管の内部と内容液を吸い込む弾性圧搾部との間に空気通路があるため、使用後に横倒しで保管された場合や、スポイト管をセットしたままで弾性圧搾部を押した際には、スポイト管より弾性圧搾部内に液体が流れ込むことになる。一般的に弾性圧搾部はゴムやエラストマーなどで作製する場合が多く、付着した液体にその材質臭がつくなどの不都合を生ずるおそれがある。
【０００５】
本発明の第１の目的は、弾性圧搾部への過剰な加圧を防止することが可能なスポイト容器を提供することである。
本発明の第２の目的は、弾性圧搾部内部全体への容器体内の液体の流路を遮断することが可能なスポイト容器を提供することである。
【課題を解決するための手段】
【０００６】
第１の手段は、
口頸部６を有する容器２と、
少なくとも蓋基部１８及び可動蓋部５０を備える蓋１６とからなり、
上記蓋基部１８は、管壁の上下方向中間部に付設された鍔状の蓋板部２２を上記口頸部６側に係止させるとともに管壁の下半部２１Ａを上記容器２内に挿入したスポイト管２０を具備し、
上記可動蓋部５０は、
上記口頸部６の外面に筒壁の下部を上下動可能に嵌合させるとともにスポイト管２０の上半部２１Ｂを囲むように筒壁の上部を起立した保持筒部５４を有し、この保持筒部５４の上部から内方へ、スポイト管２０の挿通孔であるリング孔６０を有するリング状壁部５８を突出するとともに、保持筒部５４から上方へ案内筒７２を延設した保持部材５２と、
それらリング状壁部５８及びスポイト管２０を覆うように保持部材５２に嵌着した弾性圧搾部７４と、
上記案内筒７２内に嵌合された弾性圧搾部７４押下げ用の押釦７８とを、具備し、
可動蓋部５０の引き上げによりスポイト管２０を口頸部６内から引き上げることを可能とする係合手段Ｅを設け、
口頸部６に嵌合させた保持部材５２に対してスポイト管２０を下方へ押圧する押圧手段Ｆを用いて、スポイト管２０の蓋板部２２を口頸部６の上面に圧接可能に設けるとともに、この圧接状態でスポイト管２０の上端部３０がリング孔６０より弾性圧搾部７４の頂部７４ｂ裏面へ延びて、押釦７８を介する弾性圧搾部７４の押下げを規制するように設け、かつ口頸部６に対して保持部材５２を上昇させることで弾性圧搾部７４の頂部７４ｂがスポイト管２０の上端部３０から離れて、押釦７８を介する弾性圧搾部７４の押下げが可能となるように構成している。  
【０００７】
本手段では、図１に示す如く、保持部材５２の保持筒部５４の上部内面から内方へ、スポイト管２０の挿通孔であるリング孔６０を有するリング状壁部５８を突出するとともに、スポイト管２０の上端部３０がリング孔６０より弾性圧搾部７４の裏面側へ延びて裏面に当接（あるいは近接）している。これにより、スポイト容器を使用しないときには、押釦７８を介する弾性圧搾部７４の押下げを規制される。またスポイト容器を使用するときには、保持部材５２が口頸部６に対して上昇することで、弾性圧搾部７４からスポイト管が離れる。
【０００８】
第２の手段は、第１の手段を有し、かつ
上記口頸部６への蓋板部２２の圧接状態でスポイト管２０の上端部３０が弾性圧搾部７４の頂部７４ｂ裏面に液密に当接しており、当該頂部以外の弾性圧搾部分への容器２内の液体の通路を遮断させるように構成されている。
【０００９】
本手段では、図１又は図８に示すように、スポイト管２０の上端部３０が弾性圧搾部７４の頂部７４ｂ裏面に液密に当接している。これにより、当該頂部以外の弾性圧搾部分への容器２内の液体の通路が遮断されており、弾性圧搾部の材料の臭いが液体に付着することを抑制することができる。
【００１０】
第３の手段は、第２の手段を有し、かつ
上記弾性圧搾部７４の頂部７４ｂの外周からシール筒部７６を垂下しており、このシール筒部７６にスポイト管２０の上端部３０を液密に嵌着するようにしている。
【００１１】
本手段では、図１に示す如く、弾性圧搾部７４の頂部７４ｂの外周から垂下したシール筒部７６内にスポイト管２０の上端部を嵌着させている。これにより頂部７４ｂ以外の弾性圧搾部分への液体の流通の遮断を確実にすることができる。
【００１２】
第４の手段は、第２の手段を有し、かつ
上記スポイト管２０の上端部３０を、スポイト管の残りの部分であるスポイト管本体３４と別体の栓体として形成され、この栓体は、中央部に栓孔３１を有し弾性圧搾部７４の頂部７４ｂ裏面に液密に面接可能な栓板部３０ａと、栓孔３１の回りの栓板部３０ａ裏面から垂下され、スポイト管本体３４の管孔内に嵌合された栓筒部３０ｂとを有する。
【００１３】
本手段では、図８に示す如く、スポイト管２０の上端部３０である栓体を弾性圧搾部７４の頂部に液密に面接させている。これにより頂部７４ｂ以外の弾性圧搾部分への液体の流通の遮断を確実にすることができる。
【００１４】
第５の手段は、第１の手段から第４の手段のいずれかを有し、かつ
上記係合手段Ｅは、スポイト管２０の上半部２１Ｂの外面に凹設した係合凹部２８と、上記リング孔６０の孔縁から垂下させた小径シリンダ部６２から内方突出され、上記係合凹部２８内に昇降可能に嵌合された係合爪６４とで構成されており、
この係合爪６４は、小径シリンダ部６２内へ、スポイト管２０の上端部を下側から挿入することで、係合凹部２８内へ嵌合することが可能に形成している。
【００１５】
本手段では、図１に示すように、スポイト管２０の上半部２１Ｂの外面に凹設した係合凹部２８に、上記リング孔６０の孔縁から垂下させた小径シリンダ部６２の係合爪６４を係合させている。この構成では、図３に示すように押圧手段Ｆであるコイルスプリングを装着した蓋基部１８に、図４に示す可動蓋部５０を取り付ける際に、可動蓋部５０の小径シリンダ部６２内へ、スポイト管２０の上端部を下側から挿入することで、この係合爪６４を係合凹部２８内へ嵌合することが可能である。これにより、保持部材５２へのスポイト管２０の組み付けが容易である。
【００１６】
第６の手段は、第５の手段を有し、かつ
上記リング状壁部５８の裏面から小径シリンダ部６２より大径の大径シリンダ部６８を垂下しており、
上記蓋１６は、上記小径シリンダ部６２及び大径シリンダ部６８に対して昇降可能に接する環状ピストン８６の下面から脚筒部８８を垂下してなるピストン部材８４を備え、
環状ピストン８６とリング状壁部５８との間に押圧手段Ｆであるコイルスプリングを装着して、上記脚筒部８８を介して上記蓋基部１８を下方へ押圧するように構成している。
【００１７】
本手段では、図１に示すように、上記リング状壁部５８の裏面から小径シリンダ部６２及び大径シリンダ部６８に環状ピストン８６を昇降自在に当接させている。
【発明の効果】
【００１８】
第１の手段に係る発明によれば、スポイト管２０の上端部３０がリング状壁部５８のリング孔６０から弾性圧搾部７４の頂部７４ｂ裏面へ延びているから、押釦７８が不意に押された場合に弾性圧搾部７４が過剰に加圧・変形されることを防止できる。
第２の手段に係る発明によれば、頂部以外の弾性圧搾部分への液体通路を遮断することで、例えば弾性圧搾部７４内部全体に液体が流れ込む場合に比べて液体に弾性圧搾部の材料臭がつく不都合を低減できる。
第３の手段に係る発明によれば、弾性圧搾部７４の頂部７４ｂから垂下したシール筒部７６内にスポイト管２０の上端部３０を液密に嵌着したから、頂部以外の弾性圧搾部分への流路の遮断をより確実に行うことができる。
第４の手段に係る発明によれば、スポイト管２０の上端部３０を、弾性圧搾部７４の頂部７４ｂ裏面に液密に面接可能な栓体として形成したから、頂部以外の弾性圧搾部分への流路の遮断をより確実に行うことができる。
第５の手段に係る発明によれば、保持部材５２の小径シリンダ部６２内へスポイト管２０の上端部３０を挿入することで、スポイト管２０の係合凹部２８内へ小径シリンダ部６２の係合爪６４を嵌合させることが可能としたから、可動蓋部５０へのスポイト管２０の組み付けが容易である。
第６の手段に係る発明によれば、環状ピストン８６が小径シリンダ部６２及び大径シリンダ部６８に接しているので、環状ピストン８６の昇降を安定的に案内することができる。
【図面の簡単な説明】
【００１９】
【図１】本発明の第１実施形態に係るスポイト容器の縦断面図である。
【図２】図１のスポイト容器の要部拡大図である。
【図３】図１のスポイト容器の蓋の一部の縦断面図である。
【図４】図１のスポイト容器の蓋の他部の縦断面図である。
【図５】図１のスポイト容器の使用状態の第１段階を示す図である。
【図６】図１のスポイト容器の使用状態の第２段階を示す図である。
【図７】図１のスポイト容器の使用状態の第３段階を示す図である。
【図８】本発明の第２実施形態に係るスポイト容器の縦断面図である。
【図９】図８のスポイト容器の使用状態を示す図である。
【発明を実施するための最良の形態】
【００２０】
図１から図７は、本発明の第１の実施形態に係るスポイト容器を示している。このスポイト容器は、容器２と蓋１６とからなる。本発明の各部材は、例えば合成樹脂又は金属で形成することができる。
【００２１】
容器２は、図１に示すように、容器体４とシゴキ部材８とで構成される。
【００２２】
上記容器体４は、胴部から肩部を介して上端開口の口頸部６を起立している。口頸部６の外面には螺条を形成している。
【００２３】
上記シゴキ部材８は、口頸部６上面に係止可能な鍔部１０ａを有する主筒部１０と、この主筒部１０の内面から縮径部１２ａを介して下方へ垂下する小径の補助筒部１２とを有し、補助筒部１２の内面から複数のシゴキ部１４を突出している。上記主筒部１０は口頸部６の内面に嵌合されており、後述のスポイト管２０を容器体内から引き出すときに上記シゴキ部１４でスポイト管２０の外面を扱く（しごく）ことでスポイト管２０の外面に付着した液体を除去することができるように形成している（図７参照）。
【００２４】
蓋１６は、図１に示すように、蓋基部１８と、可動蓋部５０と、ピストン部材８４とを有する。
【００２５】
上記蓋基部１８は、図３に示すように、スポイト管２０と、回り止め部材３６とで構成されている。
【００２６】
上記スポイト管２０は、上下両端開口であり、本実施形態において一体成形された一本の管体として形成されている。スポイト管２０の上下方向中間部には外向きフランジ状の蓋板部２２が付設されている。スポイト管２０は、この蓋板部２２を、上記鍔部１０ａを介して口頸部６の上面に載置させることで、口頸部６を閉塞するとともに、下半部２１Ａを容器体４の底部側へ垂下するように構成されている。スポイト管２０の上半部２１Ｂは、蓋板部２２寄りの部分を大径部２３に形成して、この大径部２３に第１回り止め用縦溝２４を縦設するとともに、大径部２３の直ぐ上に周設した環状凹溝２６と、この環状凹溝２６の上方において下側の上向き段部２８ａ及び上側の環状リブ２８ｂの間に形成される係合凹部２８とを有する。もっともスポイト管２０の構造は適宜変更することができる。
【００２７】
上記回り止め部材３６は、上記蓋板部２２の上面に載置されたリング状の基板部３８の内周から内周壁部４０を、その外周から外周壁部４６を２重筒状に起立している。内周壁部４０の上端部からは上記環状凹溝２６に嵌着する環状凸部４２を内方突出し、環状凸部４２下方の内周壁部分の内面には、上記第１回り止め用縦溝２４内に嵌合する第１回り止め用縦突条４４を縦設する。上記外周壁部４６の外周面には、第２回り止め用縦溝４８を縦設する。
【００２８】
上記可動蓋部５０は、図４に示す如く、保持部材５２と、弾性圧搾部である弾性ドーム７４と、押釦７８と、カバー筒８２とを有する。
【００２９】
上記保持部材５２は、上記筒壁の下部を上記口頸部６の外面へ昇降可能に嵌合（図示例では螺合）して口頸部６の上方へ延びる保持筒部５４を有する。保持筒部５４の上下方向中間部の内面には、上記第２回り止め用縦溝４８内に昇降自在に嵌合させる第２回り止め用縦突条５６を縦設する。
【００３０】
上記第２回り止め用縦溝４８の上側の保持筒部分内面からは、スポイト管２０の挿通孔であるリング孔６０を有するリング状壁部５８を内方突出する。そのリング孔６０の孔縁からは、内面下部に係合爪６４を有する小径シリンダ部６２を垂下している。この係合爪６４は、小径シリンダ部６２内へ、スポイト管２０の上端部を下側から挿入したときに上記環状リブ２８ｂを乗り越えて係合凹部２８内に嵌合するように形成する。これら係合爪６４と係合凹部２８とでスポイト管２０を引き上げるための係合手段Ｅを構成している（図２及び図７参照）。
【００３１】
図示例のリング状壁部５８は、図４に示すように、外周部５８ａに対して筒壁部５８ｂを介して隆起する内周部５８ｃを有している。上記筒壁部５８ｂの外面と保持筒部５４の上部内面との間には、後述の弾性ドーム７４嵌合用の嵌合溝６６が周設されている。また上記リング状壁部５８より下方へ大径シリンダ部６８を延設している。この大径シリンダ部６８は、上記外周壁部４６の内面に昇降自在に嵌合させている。さらに上記内周部５８ｃには通気孔７０を開口している。可動蓋５０の内周部５８ｃとピストン部材８４の外向きフランジ部８６ｂとの間の空間は、可動蓋部５０の昇降により容積の変化するポンプ室Ｐとしての機能を有する。
【００３２】
さらに上記保持部材５２は、保持筒部５４から上方へ、後述の押釦７８を案内する案内筒７２を延設している。この案内筒７２は、保持筒部５４と一体に連続形成してもよいが、図示例では、案内筒７２の下部を小径筒部７２ａに形成し、この小径筒部７２ａを保持筒部５４の上端部に嵌着することで、弾性ドーム７４の下端部７４ａを抜け止めしている。
【００３３】
上記弾性ドーム７４は、下端部７４ａを肉厚のリムに形成した半球状の部材であり、当該下端部７４ａを上記保持部材５２の嵌合溝６６内に嵌着させている。弾性ドーム７４の頂部７４ｂの裏面からはシール筒部７６を垂下している。このシール筒部７６は、上記スポイト管２０の上端部３０と液密に嵌合させている。図示例では、シール筒部７６の外面にスポイト管２０の上端部３０を液密に嵌合させているが、シール筒部７６の内面にスポイト管２０の上端部３０を嵌合させても構わない。本実施形態では、請求項にいう弾性圧搾部を弾性ドームとして形成しているが、弾性ドームに代えて上下方向に伸縮可能な弾性蛇腹部としてもよい。
【００３４】
上記押釦７８は、頂板部７８ａの裏面中央部から弾性ドーム７４圧搾用の内筒部７８ｂを、頂板部７８ａの外周から外筒部７８ｃをそれぞれ垂下するとともに、この外筒部７８ｃの下端部を拡径筒部８０として、上記案内筒７２内に昇降自在に嵌合させている。  
【００３５】
上記カバー筒８２は、上記保持筒部５４の外面に回動不能に嵌合した筒壁の上端から係止凸部８２ａを内方突出している。この係止凸部８２ａは上記押釦７８の拡径筒部８０の上端を係止して押釦７８の抜け出しを防止している。
【００３６】
上記ピストン部材８４は、図３に示す如く、環状ピストン８６と脚筒部８８とを有する。上記環状ピストン８６は、図２に示す小径シリンダ部６２の外面に摺接するスライド筒部８６ａを有し、このスライド筒部８６ａの下部から外方突出した外向きフランジ部８６ｂの内周に大径シリンダ部６８の内面に摺接する上下一対のスカート状部８６ｃを形成してなる。また脚筒部８８は、上記外向きフランジ部８６ｂの裏面から回り止め部材３６の基板部３８の上面まで垂下している。脚筒部８８の内面は回り止め部材３６の内周壁部４０に当接している。そして上記外向きフランジ部８６ｂの上面とリング状壁部５８の内周部５８ｃ下面との間には、スポイト管２０を下方へ押圧する押圧手段Ｆであるコイルスプリングを介装している。
【００３７】
上記構成によれば、図１の状態においてスポイト管２０の上端部３０は、弾性ドーム７４の頂部７４ｂに設けたシール筒部７６に嵌着しており、これによりスポイト管２０の管孔から頂部７４ｂ以外の弾性ドーム部分への液体の流通が遮断される。これにより、図１の状態からスポイト容器を倒したり、またスポイト管２０の下半部２１Ａを容器体４内の液体内に浸けたままで押釦７８が不意に押し下げられた場合でも、弾性ドーム７４内に液体が流れ込むことはなく、弾性ドーム７４の材料の臭いが液体につくなどの不都合が大幅に緩和される。
【００３８】
スポイト容器を使用するときには、図５に示す如く、カバー筒８２の外面をつまんで回転させ、保持筒部５４を口頸部６から螺脱させればよい。そうするとコイルスプリングの弾性力により、スポイト管２０を口頸部６に残したままで可動蓋部５０が上昇し、スポイト管２０の上端部３０がシール筒部７６から外れるとともに、ポンプ室Ｐ内の容積が拡大する。これによりポンプ室Ｐ内部が負圧化するので、通気孔７０を介して空気が上記ポンプ室Ｐ内に吸い込まれ、そして空間Ｐ内の負圧に対応した一定量の液体がスポイト管２０内に吸引される。さらに図７に示す如く可動蓋部５０を引き上げると、保持部材５２の係合爪６４が係合凹部２８の上側の環状リブ２８ｂに係止してスポイト管２０を含む蓋基部１８も引き上げられる。この状態で一定量の液体を吐出することができる。
なお、通常のスポイト容器と同様に、図６に示すように、押釦７８を押下げ、押下げを解放することで、容器体内の液体をスポイト管２０内へ吸い込むこともできる。
【００３９】
以下本発明の他の実施形態に関して説明する。これらの説明において第１実施形態と同じ構造に関しては、解説を省略する。
【００４０】
図８から図９は本発明の第２実施形態に係るスポイト容器を示している。本実施形態では、スポイト管２０の上端部３０を、スポイト管２０の残りの部分であるスポイト管本体３４と別体の栓体として形成している。この栓体は、中央部に栓孔３１を有し弾性ドーム７４の頂部７４ｂ裏面に液密に面接可能な栓板部３０ａと、栓孔３１の回りの栓板部３０ａ裏面から垂下され、スポイト管本体３４の管孔内に嵌合された栓筒部３０ｂとを有する。この栓筒部３０ｂの下端部は小外径部３２に形成されている。またスポイト管本体３４の上部は大内径部３５に形成され、この大内径部３５に栓筒部３０ｂの小外径部３２を液密に嵌合させている。
【００４１】
上記栓板部３０ａは栓筒部３０ｂより大径であり、弾性ドーム７４の頂部７４ｂに液密に面接するように構成されている。これにより、弾性ドーム７４の内部であってスポイト管２０外方の部分をスポイト管２０の管孔内部に対してシールすることができる。好適な図示例では、栓板部３０ａの上面を弾性ドーム７４の頂部７４ｂ裏面に対応した弯曲面に形成しており、これによりシール性が向上する。
【符号の説明】
【００４２】
２…容器  ４…容器体  ６…口頸部
８…シゴキ部材  １０ａ…鍔部  １０…主筒部
１２…補助筒部  １２ａ…縮径部  １４…シゴキ部
１６…蓋  １８…蓋基部  ２０…スポイト管  
２１Ａ…（同）下半部  ２１Ｂ…（同）上半部  ２２…蓋板部  ２３…大径部
２４…第１回り止め用縦溝  ２６…環状凹溝  ２８…係合凹部
２８ａ…上向き段部  ２８ｂ…環状リブ  ３０…（スポイト管）上端部
３０ａ…栓板部  ３０ｂ…栓筒部  ３１…栓孔  ３２…小外径部  
３４…スポイト管本体  ３５…大内径部  
３６…回り止め部材  ３８…基板部  ４０…内周壁部  ４２…環状凸部
４４…第１回り止め用縦突条  ４６…外周壁部  ４８…第２回り止め用縦溝  
５０…可動蓋部  ５２…保持部材  ５４…保持筒部  ５６…第２回り止め用縦突条
５８…リング状壁部  ５８ａ…外周部  ５８ｂ…筒壁部  ５８ｃ…内周部
６０…リング孔  ６２…小径シリンダ部  ６４…係合爪  ６６…嵌合溝
６８…大径シリンダ部  ７０…通気孔  ７２…案内筒  ７２ａ…小径筒部
７４…弾性圧搾部（弾性ドーム）  ７４ａ…下端部  ７４ｂ…頂部  ７６…シール筒部
７８…押釦  ７８ａ…頂板部  ７８ｂ…内筒部  ７８ｃ…外筒部  ８０…拡径筒部
８２…カバー筒  ８２ａ…係止凸部
８４…ピストン部材  ８６…環状ピストン  ８６ａ…スライド筒部
８６ｂ…外向きフランジ部  ８６ｃ…スカート状部  
８８…脚筒部  
Ｅ…係合手段  Ｆ…押圧手段（コイルスプリング）  Ｐ…ポンプ室
【図１】
2015127225.tif 000003
【図２】
2015127225.tif 000004
【図３】
2015127225.tif 000005
【図４】
2015127225.tif 000006
【図５】
2015127225.tif 000007
【図６】
2015127225.tif 000008
【図７】
2015127225.tif 000009
【図８】
2015127225.tif 000010
【図９】
2015127225.tif 000011